(57)【要約】      （修正有）【課題】改良された窓組立体を提供する。【解決手段】窓組立体は真空断熱ガラスユニット１２及び枠組立体を含んでもよい。真空断熱ガラスユニットは、大気圧よりも低い圧力の、第１ガラス基板１８と第２ガラス基板２０との間の空間を定める第１ガラス基板１８及び第２ガラス基板２０を含んでもよい。前記第１ガラス基板１８及び前記第２ガラス基板２０のうちの一方は、この基板から外側に延びる真空口２４を含んでもよい。真空口２４は前記空間と連通する通路２５を定めてもよい。枠組立体は、前記ガラスユニット１２を支持し、基礎部材３２とグレージング部材３４とを含んでもよい。基礎部材３２及びグレージング部材３４は前記ガラスユニット１２の端部が収容されたスロット３６を定めるように協働する。グレージング部材３４は真空口２４を収容する空洞を含んでもよい。基礎部材３２及び前記グレージング部材３４は、複数のポケット３８を定めてもよい。【選択図】図２
2020128693.tif 000002
【特許請求の範囲】
【請求項１】
窓組立体であって、
大気圧よりも低い圧力の、第１ガラス基板と第２ガラス基板との間の空間を定める第１ガラス基板及び第２ガラス基板を含む真空断熱ガラスユニットであって、前記第１ガラス基板及び前記第２ガラス基板のうちの一方は、この基板から外側に延びる真空口を含み、前記真空口は前記空間と連通する通路を定める、真空断熱ガラスユニットと、
前記ガラスユニットを支持し、基礎部材とグレージング部材とを含む枠組立体と、を含み、前記基礎部材及びグレージング部材は前記ガラスユニットの端部が収容されたスロットを定めるように協働し、前記基礎部材又は前記グレージング部材のうちの１つは真空口を収容する空洞を含み、前記グレージング部材及び前記基礎部材は前記枠組立体を通る熱伝導率を減少させる複数のポケットを定める、窓組立体。
【請求項２】
前記グレージング部材が、前記基礎部材とスナップ係合するタブを含む、請求項１に記載の窓組立体。
【請求項３】
前記基礎部材が、組み込まれた補強部材を含む、請求項１に記載の窓組立体。
【請求項４】
前記基礎部材が、前記ガラスユニットが歪んだ状態にあるときに、前記ガラスユニットの一部を収容する前記スロットに隣接する凹部を含む、請求項１に記載の窓組立体。
【請求項５】
前記凹部が、前記ガラスユニットの歪みに伴うエネルギーを吸収するために、その内部に収容された断熱障壁を含む、請求項４に記載の窓組立体。
【請求項６】
前記グレージング部材が、構造的に前記ガラスユニットを支持する、請求項１に記載の窓組立体。
【請求項７】
前記真空口を収容する空洞が、断熱材料で充填される、請求項１に記載の窓組立体。
【請求項８】
前記ポケットの少なくとも１つが空気で充填される、請求項１に記載の窓組立体。
【請求項９】
前記ポケットの少なくとも１つが発泡体で充填される、請求項１に記載の窓組立体。
【請求項１０】
前記基礎部材及び前記グレージング部材の少なくとも１つが、その熱伝導率を減少させる組み込まれた添加剤を有するビニールを含む、請求項１に記載の窓組立体。
【請求項１１】
前記ガラスユニットの端部が、１．２５インチ以上のバイト深さまで前記スロットに挿入される、請求項１に記載の窓組立体。
【請求項１２】
前記グレージング部材が、前記ガラスユニットの負荷の少なくとも一部を支える、請求項１に記載の窓組立体。
【請求項１３】
前記グレージング部材及び前記基礎部材が、前記ガラスユニットの負荷を支えるように協働する、請求項１２に記載の窓組立体。
【請求項１４】
窓組立体であって、
大気圧よりも低い圧力の、第１ガラス基板と第２ガラス基板との間の空間を定める第１ガラス基板及び第２ガラス基板を含む真空断熱ガラスユニットと、
前記ガラスユニットを支持し、基礎部材とグレージング部材とを含む枠組立体と、を含み、
前記基礎部材及びグレージング部材は前記ガラスユニットの端部が収容されたスロットを定めるように協働し、前記基礎部材又は前記グレージング部材のうちの１つは前記ガラスユニットが歪んだ状態にあるときに、前記ガラスユニットの一部を収容する前記スロットに隣接する凹部を含む、窓組立体。
【請求項１５】
前記第１ガラス基板及び前記第２ガラス基板のうちの一方は、この基板から外側に延びる真空口を含み、前記真空口は前記空間と連通する通路を定め、前記基礎部材又は前記グレージング部材の１つは、前記真空口を収容する空洞を含む、請求項１４に記載の窓組立体。
【請求項１６】
前記真空口を収容する空洞が、断熱材料で充填される、請求項１５に記載の窓組立体。
【請求項１７】
前記グレージング部材及び前記基礎部材が、前記枠組立体を通る熱伝導率を減少させる複数のポケットを定める、請求項１４に記載の窓組立体。
【請求項１８】
前記ポケットの少なくとも１つが空気で充填される、請求項１７に記載の窓組立体。
【請求項１９】
前記ポケットの少なくとも１つが発泡体で充填される、請求項１７に記載の窓組立体。
【請求項２０】
前記基礎部材及び前記グレージング部材の少なくとも一方が、その熱伝導率を減少させる組み込まれた添加剤を有するビニールを含む、請求項１９に記載の窓組立体。
【請求項２１】
前記グレージング部材が、前記基礎部材とスナップ係合するタブを含む、請求項１４に記載の窓組立体。
【請求項２２】
前記基礎部材が、組み込まれた補強部材を含む、請求項１４に記載の窓組立体。
【請求項２３】
前記凹部が、前記ガラスユニットの歪みに伴うエネルギーを吸収するために、その内部に収容された断熱障壁を含む、請求項１４に記載の窓組立体。
【請求項２４】
前記グレージング部材が、構造的に前記ガラスユニットを支持する、請求項１４に記載の窓組立体。
【請求項２５】
前記ガラスユニットの端部が、１．２５インチ以上のバイト深さまで前記スロットに挿入される、請求項１４に記載の窓組立体。
【請求項２６】
前記グレージング部材が、前記ガラスユニットの負荷の少なくとも一部を支える、請求項１４に記載の窓組立体。
【請求項２７】
前記グレージング部材及び前記基礎部材が、前記ガラスユニットの負荷を支えるように協働する、請求項２６に記載の窓組立体。
【発明の詳細な説明】
【技術分野】
【０００１】
本発明は、窓枠システムに関し、より詳細には、真空断熱ガラスユニット用の窓枠システムに関する。
【背景技術】
【０００２】
本セクションは、本開示に関連する背景情報を提供し、必ずしも先行技術ではない。
【０００３】
ガラス技術の進歩によって、例えば、建物又は住宅の窓の断熱値が増えている。このような進歩によってガラスユニットを通過する伝熱量が減少している。しかし、このような高性能ガラスユニットは、従来の窓枠及び／又はグレージングの技術に新たな問題を生じさせる。窓組立体が全体として高水準の性能を発揮するためには、これらの高性能ガラスユニットが高性能窓枠システムに設置されることを必要とする。高性能ガラスユニットが高性能窓枠システムに設置されると、概して、窓組立体のＲ値（熱抵抗）が大幅に増加し、建物又は住宅のエネルギー効率が大幅に向上するという相乗効果が得られる。
【発明の概要】
【課題を解決するための手段】
【０００４】
本セクションは、本開示の概要を提供するものであり、その全範囲又はその全ての特徴の包括的な開示ではない。
【０００５】
窓組立体は、真空断熱ガラスユニットと枠組立体とを含んでもよい。真空断熱ガラスユニットは、大気圧よりも低い圧力の、第１ガラス基板と第２ガラス基板との間の空間を定める第１ガラス基板及び第２ガラス基板を含んでもよい。第１ガラス基板及び第２ガラス基板のうちの一方は、この基板から外側に延びる真空口を含んでもよい。真空口は空間と連通する通路を定めてもよい。枠組立体は、ガラスユニットを支持し、基礎部材とグレージング部材とを含んでもよい。基礎部材及びグレージング部材は、ガラスユニットの端部が収容されたスロットを定めるように協働する。基礎部材又はグレージング部材のうちの１つは、真空口を収容する空洞を含んでもよい。グレージング部材及び基礎部材は、枠組立体を通る熱伝導率を減少又は妨害する複数のポケットを定めてもよい。
【０００６】
いくつかの実施形態では、グレージング部材が、基礎部材とスナップ係合するタブを含む。
【０００７】
いくつかの実施形態では、基礎部材が、組み込まれた補強部材を含む。
【０００８】
いくつかの実施形態では、基礎部材及びグレージング部材の少なくとも１つが、その熱伝導率を減少させる組み込まれた添加剤を含む。
【０００９】
いくつかの実施形態では、基礎部材が、ガラスユニットが歪んだ状態にあるときに、ガラスユニットの一部を収容するスロットに隣接する凹部を含む。
【００１０】
いくつかの実施形態では、凹部が、ガラスユニットの歪みに伴うエネルギーを吸収するために、その内部に収容された断熱障壁を含む。
【００１１】
いくつかの実施形態では、グレージング部材が、構造的にガラスユニットを支持する。
【００１２】
いくつかの実施形態では、グレージング部材が、ガラスユニットの負荷の少なくとも一部を支える。
【００１３】
いくつかの実施形態では、グレージング部材及び基礎部材が、ガラスユニットの負荷を支えるように協働する。
【００１４】
いくつかの実施形態では、真空口を収容する空洞が断熱材料で充填される。
【００１５】
いくつかの実施形態では、ポケットの少なくとも１つが空気で充填される。
【００１６】
いくつかの実施形態では、ポケットの少なくとも１つが発泡体で充填される。
【００１７】
いくつかの実施形態では、ガラスユニットの端部が、少なくとも１．２５インチのバイト深さ（ｂｉｔｅ  ｄｅｐｔｈ）までスロットに挿入される。
【００１８】
別の形態では、本開示は、真空断熱ガラスユニットと枠組立体とを含む窓組立体を提供する。ガラスユニットは、大気圧よりも低い圧力の、第１ガラス基板と第２ガラス基板との間の空間を定める第１ガラス基板及び第２ガラス基板を含んでもよい。枠組立体は、ガラスユニットを支持し、基礎部材とグレージング部材とを含んでもよい。基礎部材及びグレージング部材は、ガラスユニットの端部が収容されたスロットを定めるように協働してもよい。基礎部材又はグレージング部材の１つは、ガラスユニットが歪んだ状態にあるときに、ガラスユニットの一部を収容するスロットに隣接する凹部を含んでもよい。
【００１９】
いくつかの実施形態では、第１ガラス基板及び第２ガラス基板のうちの一方が、この基板から外側に延びる真空口を含んでもよく、真空口は空間に連通する通路を定め、基礎部材又はグレージング部材の１つが、真空口を収容する空洞を含む。
【００２０】
いくつかの実施形態では、真空口を収容する空洞が断熱材料で充填される。
【００２１】
いくつかの実施形態では、グレージング部材及び基礎部材が、枠組立体を通る熱伝導率を減少させる複数のポケットを定める。
【００２２】
いくつかの実施形態では、ポケットの少なくとも１つが空気で充填される。
【００２３】
いくつかの実施形態では、ポケットの少なくとも１つが発泡体で充填される。
【００２４】
いくつかの実施形態では、グレージング部材が、基礎部材とスナップ係合するタブを含む。
【００２５】
いくつかの実施形態では、基礎部材が、組み込まれた補強部材を含む。
【００２６】
いくつかの実施形態では、基礎部材及びグレージング部材の少なくとも１つが、その熱伝導率を減少させる組み込まれた添加剤を含む。
【００２７】
いくつかの実施形態では、凹部が、ガラスユニットの歪みに伴うエネルギーを吸収するために、その内部に収容された断熱障壁を含む。
【００２８】
いくつかの実施形態では、グレージング部材が、構造的にガラスユニットを支持する。
【００２９】
いくつかの実施形態では、ガラスユニットの端部が、１．２５インチ以上のバイト深さまでスロットに挿入される。
【００３０】
いくつかの実施形態では、グレージング部材が、ガラスユニットの負荷の少なくとも一部を支える。
【００３１】
いくつかの実施形態では、グレージング部材及び基礎部材が、ガラスユニットの負荷を支えるように協働する。
【００３２】
さらなる適用領域は、本明細書で提供される説明から明らかになるであろう。この要約における説明及び特定の実施例は、説明のみを目的としており、本開示の範囲を限定するものではない。
【図面の簡単な説明】
【００３３】
本明細書に記載された図面は、選択された実施形態の説明のみを目的とし、すべての可能な実施形態ではなく、本開示の範囲を限定することを意図するものではない。
【００３４】
【図１】本開示の原理による窓組立体の概略図である。
【図２】図１の窓組立体の窓枠システムに設置されたガラスユニットの断面図である。
【図３】歪んだ状態の図２のガラスユニット及び窓枠システムの断面図である。
【図４】本開示の原理によるガラスユニット及びカプラ（ｃｏｕｐｌｅｒ）の斜視図である。
【図５】枠組立体に設置されたガラスユニット及びカプラの斜視図である。
【００３５】
対応する参照番号は、図面のいくつかの図を通して対応する部分を示す。
【発明を実施するための形態】
【００３６】
ここで、例示的な実施形態を添付の図面を参照してより完全に説明する。例示的な実施形態は、本開示が徹底したものであり、かつその範囲を当業者に十分に伝えるように提供される。本開示の実施形態の完全な理解を提供するために、特定の構成要素、装置、及び方法の例などの、多くの具体的な詳細が記載されている。特定の詳細を採用する必要はなく、例示的な実施形態は多くの異なる形態で実施してもよく、いずれも本開示の範囲を限定すると解釈すべきでないことが、当業者に明らかであろう。いくつかの例示的な実施形態では、周知の工程、周知の装置構造、及び周知の技術は詳細に記載されていない。
【００３７】
本明細書で使用する用語は、特定の例示的な実施形態のみを説明するためのものであり、限定することを意図するものではない。本明細書で使用するように、単数形「ａ」、「ａｎ」及び「ｔｈｅ」は、文脈で他に明記されない限り、複数形も含むことを意図することがある。「ｃｏｍｐｒｉｓｅｓ」、「ｃｏｍｐｒｉｓｉｎｇ」、「ｉｎｃｌｕｄｉｎｇ」、及び「ｈａｖｉｎｇ」の用語は、包括的であり、従って、述べられている特徴、整数、ステップ、操作、要素及び／又は構成要素が存在することを明示するが、１つ以上の他の特徴、整数、ステップ、操作、要素、構成要素、及び／又はその群が存在すること又は添加されることを排除するものではない。本明細書に記載されたこのような方法ステップ、工程、及び操作が、実行の順序として具体的に明示されない限り、必ずしも説明又は図示された特定の順序で実行することを必要とすると解釈されるべきではない。追加又は代替のステップを用いてもよいことも理解すべきである。
【００３８】
ある要素又は層が別の要素又は層の「上にある」か、又は別の要素又は層に「係合されている」か、「接続されている」か、又は「結合している」と言及する場合、ある要素又は層が、他の要素又は層の直上にあるか、或いは他の要素又は層に直接係合されているか、或いは直接接続されているか、或いは直接結合してもよいか、又は介在する要素又は層が存在してもよい。対照的に、ある要素が、他の要素又は層の「直上にある」か、又は他の要素又は層に「直接係合している」か、「直接接続されている」か、又は「直接結合している」と言及されている場合、介在する要素又は層が存在しなくてもよい。要素間の関係を説明するために使用される他の言葉は、同様の態様（例えば、「間」対「直接間」、「隣接」対「直接隣接」など）で解釈されるべきである。本明細書で使用されるように、用語「及び／又は」は、列挙された１つ以上の関連物品のありとあらゆる組み合わせを含む。
【００３９】
様々な要素、構成要素、領域、層及び／又は区域を説明するために「第１」、「第２」、「第３」などの用語が本明細書で使用されるが、これらの要素、構成要素、領域、層及び／又は区域は、このような用語によって制限すべきではない。これらの用語は、１つの要素、構成要素、領域、層又は区域を、別の領域、層又は区域と区別するために使用されてもよい。「第１」、「第２」及び他の数値的な用語のような用語が、本明細書で使用される場合、文脈で他に明記されない限り、シークエンス又は順序を暗示するものではない。従って、以下に説明する第１の要素、構成要素、領域、層、又は区域が、例示的な実施形態の教示から逸脱することなく、第２の要素、構成要素、領域、層又は区域と呼ぶこともある。
【００４０】
「内側」、「外側」、「下」、「下部」、「下側」、「上部」、「上側」などのような空間的に相対的な用語は、本明細書で、説明の便宜上用いられるものであって、図に示された、ある要素又は特徴の別の要素又は特徴への関係を記述する。空間的に相対的な用語は、図に描かれている方向に加えて、使用中又は操作中での装置の異なる方向を包含すると意図することがある。例えば、図中の装置がひっくり返されている場合、他の要素又は特徴の「下部」又は「下」にあると記載された要素は、他の要素又は特徴の「上」に向けられる。従って、「下」の例示的な用語は、上及び下の方向の両方を含むことができる。この装置は、それ以外の方向に向けられてもよく（９０度回転されるか、又は他の方向に回転される）、本明細書で使用される空間的に相対的な記述子はそれに応じて解釈される。
【００４１】
図１〜３を参照すると、断熱ガラスユニット、特に真空断熱ガラス（ＶＩＧ）ユニット１２及び枠組立体１４を含む例示的な窓組立体１０が提供される。窓組立体１０は、例えば、建物又は住宅の壁１６（図１）に設置されることができる。図２に示すように、ＶＩＧユニット１２は、第１ガラス基板１８と第２ガラス基板２０との間に空間２２を定めるように協働する第１ガラス基板１８及び第２ガラス基板２０を含んでもよい。空間２２は、大気圧よりも低い圧力であってもよい。第２ガラス基板２０は、内部基板（即ち、建物又は住宅の内部に露出されている基板）であり、空間２２と連通する通路２５を定める（図２及び図３に概略的に示されている）真空口又はチューブ２４を含む。空間２２内のガスは、ＶＩＧユニット１２を枠組立体１４に設置する前又は後に、真空口２４を通して排気することができる。
【００４２】
図１に示すように、枠組立体１４は、頭部２６、敷居部２８及び一対の縦枠部３０を含んでもよい。頭部２６、敷居部２８、及び縦枠部３０は、ＶＩＧユニット１２を支持するように協働してもよい。頭部２６、敷居部２８及び縦枠部３０は、木材、ビニール（ｖｉｎｙｌ）、アルミニウム、又は望ましい熱伝導率を有する任意の適切な構造材料であってもよい。頭部２６、敷居部２８及び縦枠部３０は、熱伝導率を減少させる特定の添加剤を含んでもよい。例えば、材料としてビニールを選択する場合、材料は組み込まれた微小球を含むことができる。組み込まれた微小球は、例えば、膨張した微小球を含んでもよい。頭部２６、敷居部２８及び縦枠部３０は、一般的に、類似しても同一であってもよく、従って、敷居部２８のみが以下に詳細に説明される。
【００４３】
図２に示されているように、敷居部２８は、基礎部材３２及びグレージング部材３４を含んでもよい。グレージング部材３４は、ＶＩＧユニット１２の内側に配置されてもよく（即ち、グレージング部材３４は、建物又は住宅の内側に配置されてよく）、グレージング部材３４と基礎部材３２と間にＶＩＧユニット１２の端部３７の一部又は全部を収容するスロット３６を定めるように基礎部材３２に係合してもよい。端部３７は、ＶＩＧユニット１２の遠位端３３から約２．５インチ延びたものとして定められる。いくつかの実施形態では、流体がスロット３６に入ることを制限又は防止するために、ＶＩＧユニット１２と基礎部材３２との間、及び／又はＶＩＧユニット１２とグレージング部材３４との間に、ガスケット３５が設けられてもよい。
【００４４】
いくつかの構成では、ＶＩＧユニット１２の端部３７は、１．２５インチ以上のバイト深さＤまでスロット３６の内部に延びてもよい。いくつかの変形例では、バイト深さＤは、例えば、約０．７５〜５インチ又は約０．７５〜３インチとすることもある。ＶＩＧユニット１２は、遠位端３３における第１ガラス基板１８と第２ガラス基板２０との間の端封により、遠位端３３においてより高い熱伝導率を有する傾向がある。従って、大きなバイト深さは、ＶＩＧユニット１２の内側と外側との間で伝導するために熱エネルギー（加熱又は冷却）が移動しなければならない通路を長くして、それによって窓組立体１０の熱性能が改善される。
【００４５】
第１ガラス基板１８及び第２ガラス基板２０の表面温度は、ガラス基板１８，２０の中心から端部３７に達するまで、即ち、遠位端３３から約２．５インチのところまで比較的一定のままであり、表面温度が、高性能ＶＩＧユニットに特有である急な温度勾配に沿って遠位端３３に遷移する。第１ガラス基板１８の表面温度は、第２ガラス基板２０の表面温度に向かって遷移し、第２ガラス基板２０の表面温度は、第１ガラス基板１８の表面温度に向かって遷移する。大きなバイト深さは、建物又は住宅の内部の環境条件（例えば、相対湿度）に露出される第２ガラス基板２０の表面温度に影響を与えることによって、第２ガラス基板２０上に凝縮物が蓄積することを防止する。ＶＩＧユニット１２が枠組立体１４と合致するところが、視線Ｓを定める。バイト深さＤは、凝縮を防止するために、視線Ｓにおける第２ガラス基板２０の表面温度が、内部及び外部の環境条件の範囲全体にわたって目標温度を上回るように選択される。
【００４６】
ＶＩＧユニット１２の遠位端３３は、スロット３６の底部における１つ以上のグレージングブロック４７の上に置かれている。グレージングブロック４７は、ゴム又は同様の高分子材料を含んでもよく、窓組立体１０の組み立て中にＶＩＧユニット１２を支持するために使用される。複数のグレージングブロック４７がスロット３６の底部に沿って離間していてもよい。グレージングブロック４７は、スロット３６に入る水分がスロット３６の底部で滲出孔（図示せず）を通して排出されるように離間していてもよい。
【００４７】
基礎部材３２は、例えば、高分子材料又は複合材料から押出成形、引抜成形又は射出成形を実行してもよく、１つ以上のポケット３８を形成するように協働する複数の支持部材又はリブ３９を含んてもよい。ポケット３８は、基礎部材３２を通る熱伝導率を減少又は妨害するのに役立つことがある。基礎部材３２の下端部は、建物又は住宅の壁１６に係合する１つ以上のタブ４１を含んでもよい。１つ以上のポケット３８は、空気４２及び／又は他のガスで充填されてもよく、１つ以上のポケット３８は、枠組立体１４の熱伝導率を減少させるために、断熱材料４４で充填されてもよい。断熱材料４４は、例えば、発泡体、ゴム、ガラス微小球、パーライト、エーロゲル、溶融シリカ、及び／又は不活性ガスが充填された発泡体を含むことができる。いくつかの変形例では、ポケット３８のすべてが空気及び／又は他のガスで充填されるか、又はポケット３８のすべてが断熱材料４４で充填されてもよいことが分かる。そのような断熱ガス又は材料の任意の組合せが、同じ又は異なるポケット３８に採用されてもよい。いくつかの実施形態では、１つ以上のリブ３９は、たとえばＶＩＧユニット１２の歪みによって生じる力に対して枠組立体１４を補強するために枠組立体１４に追加の剛性及び強度を提供する補強部材４６を含んでもよい。補強部材４６は、任意の適切な材料から形成することができ、そして任意の適切な方法で枠組立体１４に組み込むか、又は共押出されるか、又は共引き抜きされるか又は含まれることができる。補強部材４６は、円形、長方形、又は正方形のような任意の適切な断面を有してもよい。さらに、各リブ３９の内部に１つ以上の補強部材４６が存在してもよい。基礎部材３２の第１側面４９は、第１ガラス基板１８に接触してもよく、枠組立体１４にＶＩＧユニット１２をしっかりと保持するためにグレージング部材３４と協働する。いくつかの構成では、第１側面４９と第１ガラス基板１８との間に、両面接着グレージングテープ５１又はシリコーン或いはシリコーン様製品が配置される。
【００４８】
いくつかの実施形態では、基礎部材３２は、スロット３６に隣接する凹部４８を含んでもよい。図３に示すように、凹部４８は、ＶＩＧユニット１２を遠位端３３に拘束するのではなく、ＶＩＧユニット１２の歪みに対応するように設計されている。ＶＩＧユニット１２が遠位端３３に拘束されると、ＶＩＧユニット１２には追加のかなりの応力が導入されることがある。基礎部材３２及びグレージング部材３４は、視線Ｓに隣接してＶＩＧユニット１２を拘束し、それにより、ＶＩＧユニット１２への歪みを防止又は最小化するように設計してもよい。ＶＩＧユニット１２を視線Ｓに隣接して拘束すると、ＶＩＧユニット１２を遠位端３３に拘束する場合に導入される応力よりも小さい応力がＶＩＧユニット１２に導入される。さらに、グレージング部材３４は、ＶＩＧユニット１２の歪みに応答して建物又は住宅の内部に向かって屈曲するか又は旋回するように設計されてもよい。ＶＩＧユニット１２の主な歪み原因は、室外温度と室内温度との大きな温度差に露出された結果としての熱膨張及び熱収縮の差であり、そしてそれは、ＶＩＧユニット１２の堅い端封によって第１ガラス基板１８及び第２ガラス基板２０が同じ方向に共に歪ませる原因となる。このような第１基板１８及び第２基板２０の熱歪みは、従来のＩＧ又は他の窓ユニットでは発生しないがＶＩＧユニットでは発生する問題となる傾向がある。従って、ＶＩＧユニット１２の端部３７が、凹部４８の内部へと熱歪みを経験する能力は、ＶＩＧユニット１２又は枠組立体１４の、長期間使用時に可能性のある機械的応力又は故障を防止する。ＶＩＧユニット１２の歪みは、風負荷などによっても生じる可能性がある。いくつかの実施形態では、凹部４８の内部に断熱障壁５０を位置させてもよい。ＶＩＧユニット１２及び／又は基礎部材３２に断熱障壁５０を接着剤で接合してもよい。例えば、断熱障壁５０は、シリコーン又はポリスチレンテープを含むこともある。いくつかの構成では、断熱障壁５０は、約５ミリメートル以上の厚さとすることもある。断熱障壁５０は、構造的に基礎部材３２をＶＩＧユニット１２に接着し、そしてＶＩＧユニット１２の歪みに伴うエネルギーを吸収して変位することがある。いくつかの実施形態では、凹部４８が空いていることもある（例えば、断熱障壁５０ではなく気体又は空気で充填される）ことが分かる。
【００４９】
いくつかの実施形態では、基礎部材３２の１つ以上のリブ３９は、１つ以上のポケット３８が他のガラス基板又は第２ＶＩＧユニットを収容するための別のスロットを定めるようにトリミングしても除去してもよい。例えば、図２に示す構成では、第１リブ５２及び第２リブ５４は、第１ポケット５６及び第２ポケット５８が、第２ＶＩＧユニットを収容するためにスロットとして機能するようにトリミングしても除去してもよい。第１リブ５２及び第２リブ５４の一方又は両方は、第１リブ５２及び第２リブ５４を容易に切断又は破砕する１つ以上のノッチ６０を含んでもよい。
【００５０】
グレージング部材３４は、補強段階を含む高分子材料又は高分子複合材料を含んでもよい。グレージング部材３４は、例えば、高分子材料又は複合材料などの押出成形、引抜成形又は射出成形によって形成してもよく、そしてポケット６４を形成するように協働する複数の支持部材又はリブ６２を含んでもよい。枠組立体１４の熱伝導率を減少させるために、１つ以上のポケット６４は、空気、他のガス及び／又は断熱材料６６で充填してもよい。断熱材料６６は、例えば、発泡体、ゴム、ガラス微小球、パーライト、エーロゲル、溶融シリカ及び／又は不活性ガスが充填された発泡体を含むことができる。いくつかの実施形態では、１つ以上のリブ６２が、枠組立体１４にさらなる剛性及び強度を提供するために補強部材４６を含んでもよい。グレージング部材３４の第１側面６８及び第２側面７０は、第２ガラス基板２０と接触し、枠組立体１４にＶＩＧユニット１２をしっかりと保持するために基礎部材３２と協働する。いくつかの構成では、両面接着グレージングテープ５１又はシリコーン或いはシリコーン様製品が、第１側面６８及び／又は第２側面７０と第２ガラス基板２０との間に配置される。
【００５１】
グレージング部材３４の下端部は、基礎部材３２とスナップ係合する１つ以上の弾性可撓性タブ７２を含んでもよい。タブ７２は、ＶＩＧユニット１２の歪みに対応するようにグレージング部材３４を旋回しても、及び／又はグレージング部材３４を除去してもよい。このようにして窓組立体１０が建物又は住宅の壁１６に設置された後であっても、必要に応じてグレージング部材３４が繰り返して窓組立体１０にスナップ係合されたり、外されたりしてもよい。
【００５２】
グレージング部材３４はまた、第１側面６８と第２側面７０との間に形成された凹部７４を含んでもよい。凹部７４は、ＶＩＧユニット１２の真空口２４を収容し、真空口２４の損傷を防ぐことがある。凹部７４は、真空口２４を損傷することなく、又はより重要なことに、ＶＩＧユニット１２の真空を失わせることなく、ＶＩＧユニット１２の歪みに対応するように設計されている。凹部７４は、真空口２４を取り囲む断熱材料７６で充填してもよい。断熱材料７６は、例えば、発泡体、ゴム、ガラス微小球、パーライト、エーロゲル、溶融シリカ、及び／又は不活性ガスが充填された発泡体を含むことができる。断熱材料７６は、真空口２４を損傷することなく、又はより重要なことに、ＶＩＧユニット１２の真空を失わせることなく、真空口２４とグレージング部材３４との間で相対運動を可能にするために十分な柔軟性を有してもよい。別の実施形態では、グレージング部材３４の第２側面７０は、第２ガラス基板２０と接触しない。むしろ、凹部７４が、第１側面６８からスロット３６の底部まで延びている。
【００５３】
（米国南部などの）より暖かい気候では、（米国北部などの）より寒い気候で経験する方向とは反対の方向にＶＩＧユニット１２の歪みに対応するために、グレージング部材３４がＶＩＧユニット１２の外側に配置されてもよい（即ち、グレージング部材３４が建物又は住宅の外側に配置されてもよい）と予想される。
【００５４】
図４及び図５を参照すると、ＶＩＧユニット１２を標準的な窓枠組立体８２に適合させるために使用してもよいカプラ８０が設けられている。カプラ８０は、ＶＩＧユニット１２の歪みに対応するために、凹部４８及び凹部７４のような枠組立体１４と類似又は同一の特徴を含んでもよい。カプラ８０は、枠組立体１４と同様に、第１基板１８と第２基板２０との間の熱伝達を妨害し、そして第２基板２０上の凝縮物の蓄積を防止するために、大きなバイト深さを提供する。図５に示すように、カプラ８０は、枠組立体８２の内部に収容されても、他に枠組立体８２に付着されてもよい。カプラ８０の壁は、枠組立体１４と同様に、上述の補強部材４６のような補強部材を含んでもよい。断熱ガス又は断熱材料は、カプラ８０のリブ８６の間の１つ以上の空洞８４を充填してもよい。
【００５５】
実施形態の前述の説明は、例示及び説明のために提供されたものである。本開示を限定すること又は網羅的であることを意図するものではない。特定の実施形態の個々の要素又は特徴は一般にその特定の実施形態に限定されないが、適用可能であれば、交換可能であり、特に示されなくても記載されていなくても、選択された実施形態で使用することができる。同じことは、多くの点で変化し得る。そのような変形は、本開示からの逸脱とみなされるべきではなく、そのような変更のすべては、本開示の範囲内に含まれることが意図される。
【図１】
2020128693.tif 000003
【図２】
2020128693.tif 000004
【図３】
2020128693.tif 000005
【図４】
2020128693.tif 000006
【図５】
2020128693.tif 000007
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
窓組立体であって、
大気圧よりも低い圧力の、第１ガラス基板と第２ガラス基板との間の空間を定める第１ガラス基板及び第２ガラス基板を含む真空断熱ガラスユニットであって、前記第１ガラス基板及び前記第２ガラス基板のうちの一方は、この基板から外側に延びる真空口を含み、前記真空口は前記空間と連通する通路を定める、真空断熱ガラスユニットと、
前記真空断熱ガラスユニットを支持し、基礎部材とグレージング部材とを含む枠組立体と、を含み、前記基礎部材及びグレージング部材は前記真空断熱ガラスユニットの端部が収容されたスロットを定めるように協働し、前記基礎部材又は前記グレージング部材のうちの１つは真空口を収容する空洞を含む、窓組立体。
【請求項２】
窓組立体であって、
大気圧よりも低い圧力の、第１ガラス基板と第２ガラス基板との間の空間を定める第１ガラス基板及び第２ガラス基板を含む真空断熱ガラスユニットであって、前記第１ガラス基板及び前記第２ガラス基板のうちの一方は、この基板から外側に延びる真空口を含み、前記真空口は前記空間と連通する通路を定める、真空断熱ガラスユニットと、
前記真空断熱ガラスユニットを支持し、基礎部材とグレージング部材とを含む枠組立体と、を含み、前記基礎部材及びグレージング部材は前記真空断熱ガラスユニットのうちの第１真空断熱ガラスユニットの端部が収容された第１スロットを定めるように協働し、前記基礎部材又は前記グレージング部材のうちの１つは、前記第１真空断熱ガラスユニットの真空口を収容する空洞を含み、前記基礎部材は、前記真空断熱ガラスユニットのうちの第２真空断熱ガラスユニットの端部を収容する第２スロットを定める、窓組立体。
【請求項３】
窓組立体であって、
大気圧よりも低い圧力の、第１ガラス基板と第２ガラス基板との間の空間を定める第１ガラス基板及び第２ガラス基板を含む真空断熱ガラスユニットであって、前記第１ガラス基板及び前記第２ガラス基板のうちの一方は、この基板から外側に延びる真空口を含み、前記真空口は前記空間と連通する通路を定める、真空断熱ガラスユニットと、
第３ガラス基板と
前記真空断熱ガラスユニットと前記第３ガラス基板を支持し、基礎部材とグレージング部材とを含む枠組立体と、を含み、前記基礎部材及びグレージング部材は前記真空断熱ガラスユニットの端部が収容された第１スロットを定めるように協働し、前記基礎部材又は前記グレージング部材のうちの１つは真空口を収容する空洞を含み、前記基礎部材は、前記第３ガラス基板の端部を収容する第２スロットを定める窓組立体。
【請求項４】
前記基礎部材又は前記グレージング部材のうちの１つは前記真空断熱ガラスユニットが歪んだ状態にあるときに、前記真空断熱ガラスユニットの一部を収容する前記スロットに隣接する凹部を含む、請求項１乃至３のいずれかに記載の窓組立体。
【請求項５】
前記真空口を収容する空洞が、断熱材料で充填される、請求項１乃至４のいずれかに記載の窓組立体。
【請求項６】
前記グレージング部材及び前記基礎部材が、前記枠組立体を通る熱伝導率を減少させる複数のポケットを定める、請求項１乃至５のいずれかに記載の窓組立体。
【請求項７】
前記ポケットの少なくとも１つが空気で充填される、請求項６に記載の窓組立体。
【請求項８】
前記ポケットの少なくとも１つが発泡体で充填される、請求項６に記載の窓組立体。
【請求項９】
前記基礎部材及び前記グレージング部材の少なくとも一方が、その熱伝導率を減少させる組み込まれた添加剤を有するビニールを含む、請求項８に記載の窓組立体。
【請求項１０】
前記グレージング部材が、前記基礎部材とスナップ係合するタブを含む、請求項４に記載の窓組立体。
【請求項１１】
前記基礎部材が、組み込まれた補強部材を含む、請求項４に記載の窓組立体。
【請求項１２】
前記凹部が、前記真空断熱ガラスユニットの歪みに伴うエネルギーを吸収するために、その内部に収容された断熱障壁を含む、請求項４に記載の窓組立体。
【請求項１３】
前記グレージング部材が、構造的に前記真空断熱ガラスユニットを支持する、請求項４に記載の窓組立体。
【請求項１４】
前記ガラスユニットの端部が、１．２５インチ以上のバイト深さまで前記スロットに挿入される、請求項４に記載の窓組立体。
【請求項１５】
前記グレージング部材が、前記ガラスユニットの負荷の少なくとも一部を支える、請求項４に記載の窓組立体。
【請求項１６】
前記グレージング部材及び前記基礎部材が、前記ガラスユニットの負荷を支えるように協働する、請求項１５に記載の窓組立体。
【外国語明細書】
2020128693000001.pdf